(57)【要約】【課題】瞬時再点灯時にランプに高電圧始動パルスが加えられる照明器具において、小型且つ低コストで、絶縁性に優れ良好に瞬時再点灯が行える。【解決手段】本体ケーシング２内のランプ１を包囲する反射板７の切欠き部８は、Ｕ字状に切り欠いた後、充電部１０の長手方向に平行にフランジ状に折り曲げて形成する。モリブデン箔１０１と切欠き部８の間には絶縁体１１を介装する。ランプ電線１３は、導体を異なる２種類の絶縁層からなる二層の被覆構造とする。ランプ１のリード線１４とランプ電線１３との電線受部１５およびランプ電線１３の外周は絶縁性の成形体１６、１７でそれぞれ覆う。【選択図】図１
2006261137.tif 000002
【特許請求の範囲】
【請求項１】
反射板と、前記反射板にヒンジを介して開閉可能に連結された本体ケーシングと、前記本体ケーシング内に設けられたランプと、前記ランプの外周を包囲するように設けられた金属製の補助反射板とを備え、前記ランプに高電圧始動パルスを加えることによって当該ランプの瞬時再点灯を可能にすると共に、
前記補助反射板にランプ端部が延出する切欠き部を設け、前記切欠き部の切り欠きを外方向にフランジ状に曲げて前記切欠き部にフランジを形成したことを特徴とする照明器具。
【請求項２】
前記切欠き部の内側に該切欠き部とランプ間の絶縁部材を延在させたことを特徴とする請求項１記載の照明器具。
【請求項３】
前記高電圧始動パルスを始動器より前記ランプ側に導くランプ電線を、導体の周囲をシリコン樹脂で被覆し、更にその外周をフッ素樹脂で被覆する構造としたことを特徴とする請求項１または２に記載の照明器具。
【請求項４】
前記ランプを収納する本体ケーシングの内部に、前記高電圧始動パルスを導くランプ電線と、このランプ電線および前記ランプのリード線をつなぐ電線受部とを設け、この電線受部および前記ランプ電線の外周を絶縁性の成形体で囲ったことを特徴とする請求項１乃至３のいずれかに記載の照明器具。
【発明の詳細な説明】
【技術分野】
【０００１】
本発明は、ランプに高電圧始動パルスを加えることによって当該ランプの瞬時再点灯を可能にした照明器具に係り、特に高電圧パルスの器具外郭へのリークを十分に防止でき、しかも小型化を図れる照明器具に関する。
【背景技術】
【０００２】
両口タイプの２ＫＷショートアークメタルハライドランプに対して、瞬時再点灯を行うためには、約５万ボルトの高電圧始動パルスを必要とする。従来のような、瞬時再点灯を行わない、メタルハライドランプ等のＨＩＤ光源を用いた通常の数千ボルト程度の電圧の加わる照明器具にあっては、約５万ボルトを加えると、高電圧始動パルスがランプに到達する前に、器具外郭へ放電により逃げてしまって点灯しないという問題がある。また、構造的にも高圧に耐えられないという問題がある。仮に、放電防止のために十分な絶縁距離等を施すと、大型の照明器具となり実用に供さないという問題がある。
【０００３】
そこで、次に、本発明を明確にするために、瞬時再点灯を行わない、両口タイプのメタルハライドランプを用いた通常の照明器具を、瞬時再点灯用として使用した場合の問題点を具体的に検討する。
【特許文献１】特開平５−２３４４０３号公報
【発明の開示】
【発明が解決しようとする課題】
【０００４】
図１１において、３０は本体ケーシングを示している。この本体ケーシング３０内には、両口タイプのランプ３１が収納され、このランプ３１を包囲するように補助の反射板３３が設けられている。この反射板３３には略Ｕ字状の一対の切欠き３４が形成され、一対の切欠き３４には、ランプ３１の両端部が嵌め込まれている。ランプ３１の両端にはそれぞれ充電部３５が設けられ、一対の充電部３５間にはモリブデン箔１３６が設けられている。このモリブデン箔１３６は、図１２ａを参照して、切欠き３４内に位置し、この切欠き３４のエッジは、図１２ｂに示すように、モリブデン箔１３６に向いている。この従来の構成によれば、ランプ３１に高電圧始動パルスを与えると、モリブデン箔１３６と切欠き３４との間で放電を起こし、ランプ３１が点灯しなくなる。
【０００５】
そこで、図１２ａ，ｂに示す切欠き３４とモリブデン箔１３６との間の絶縁距離Ｄを大きくすることが考えられる（Ｄ＝６．５mm）。しかし、図１３ａ、ｂに示すように、切欠き３４を大きくすると（Ｄ＝１５mm以上）、切欠き３４から光が漏れて、本体ケーシング３０内の温度上昇をもたらし、補助反射板３３の機能を大幅に低下させるという問題がある。
【０００６】
また、図１４〜図１６に示すように、ランプ３１のリード線３６とランプ電線３７とを電線受部３８で接続したものが提案されるが、この種のものでは、高電圧始動パルスを与えると、本体ケーシング３０と電線受部３８との間および本体ケーシング３０とランプ電線３７との間で放電が起こるので、高電圧始動パルスに見合った絶縁距離Ａが必要になる。
【０００７】
例えば、５万ボルトの始動パルスの場合、空気は一般的に１０００Ｖ／ｍｍの絶縁性なので、絶縁距離Ａは５０ｍｍ以上必要になり、この距離をとるとなれば、距離の増大に伴って照明器具が大型化し、コストアップを招くなど、実用に供しなくなるという問題がある。
【０００８】
ランプ電線３７は、図１７〜図１９に示すように、先端１３７が曲げられ、本体ケーシング３０を貫通して外部に延出し、その外周にはフレキシブルチューブ１３８が配設されるのが一般的である。Ａは絶縁距離である。このようにランプ電線３７の先端１３７を曲げると、ランプ電線３７の被覆に損傷が起こる可能性がある。ランプ電線３７には、図１８に示すように、耐久上導体３７ａの外周をシリコン樹脂あるいはフッ素樹脂の被覆層３７ｂで被覆したものが一般に用いられるが、シリコン樹脂は温度上昇により絶縁性が若干落ち、また表面の傷に弱く、絶縁劣化を起こすおそれがある。フッ素樹脂はシリコン樹脂に比べて傷に強い上、熱負荷時の電気的特性も安定しているが、硬度が大きく、可撓性が少ないために、器具内にコンパクトに配線するのが難しい。
【０００９】
従来、高電圧始動パルスを発生する始動器３９は、図２０に示すように、本体ケーシング３０等の照明器具からの熱の影響および始動パルスを考慮し、本体ケーシング３０の側方に距離をおいて設けられる。始動器３９は収納箱４０に納められ、収納箱４０はアーム４１に取り付けられる。また、本体ケーシング３０側と始動器３９との間は、ランプ電線が挿通される絶縁性のフレキシブルチューブ４２により接続されている。このように、照明器具の側方に始動器３９を納めた収納箱４０やフレキシブルチューブ４２を配置すると、スペースを要するので、照明器具の大型化、コストアップを招く。
【００１０】
本発明の目的は、上記の問題点を解消し、小型且つ低コストで、絶縁性に優れ、瞬時再点灯を良好に行える照明器具を提供することにある。
【課題を解決するための手段】
【００１１】
上記目的を達成するために、本発明は、反射板と、前記反射板にヒンジを介して開閉可能に連結された本体ケーシングと、前記本体ケーシング内に設けられたランプと、前記ランプの外周を包囲するように設けられた金属製の補助反射板とを備え、前記ランプに高電圧始動パルスを加えることによって当該ランプの瞬時再点灯を可能にすると共に、前記補助反射板にランプ端部が延出する切欠き部を設け、前記切欠き部の切り欠きを外方向にフランジ状に曲げて前記切欠き部にフランジを形成したことを特徴とする照明器具を提供する。
【００１２】
この発明では、ランプを包囲する反射板に設けられたランプ端部が延出する切欠き部にフランジを形成し、このフランジによって平滑な面状に形成されるので、単に反射板を切り欠いたときに生じる微少な突起やエッジによって電位が高まるところがなくなり、放電を発生させることなく、切欠き部とモリブデン箔とを近づけることができる。
【００１３】
本発明は、上記発明において、前記切欠き部の内側に該切欠き部とランプ間の絶縁部材を延在させたことを特徴とする。
【００１４】
この発明では、上記において、切欠き部とモリブデン箔との間に絶縁部材を介装すれば、より絶縁性が向上すると共に、切欠き部からの光漏れをより低減することができる。
【００１５】
本発明は、上記発明において、前記高電圧始動パルスを始動器より前記ランプ側に導くランプ電線を、導体の周囲をシリコン樹脂で被覆し、更にその外周をフッ素樹脂で被覆する構造としたことを特徴とする。
【００１６】
この発明では、高電圧始動パルスを始動器よりランプ側に導くランプ電線が、導体の周囲をシリコン樹脂で被覆し、更にその外周をフッ素樹脂で被覆した二層の被覆構造となっているので、電線としては、内側のシリコン樹脂層で可撓性を保持しつつ、外側のフッ素樹脂層で表面傷を軽減して、絶縁劣化を防止できるようになる。また、異なる二種類の絶縁層で、絶縁劣化を２段階で防止でき信頼性が高いものになる。
【００１７】
本発明は、上記発明において、前記ランプを収納する本体ケーシングの内部に、前記高電圧始動パルスを導くランプ電線と、このランプ電線および前記ランプのリード線をつなぐ電線受部とを設け、この電線受部および前記ランプ電線の外周を絶縁性の成形体で囲ったことを特徴とする。
【００１８】
この発明では、ランプを収納する本体ケーシング内における高電圧始動パルスを導くランプ電線の外周およびランプ電線とランプのリード線との電線受部の外周が絶縁性の成形体で覆われているので、本体ケーシングとの間の絶縁性を向上できると共に、本体ケーシングと電線受部およびランプ電線との間の絶縁距離を短縮できるものになる。
【発明の効果】
【００１９】
本発明によれば、ランプを包囲する反射板に設けられたランプ端部が延出する切欠き部にフランジを形成し、このフランジによって平滑な面状に形成されるので、単に反射板を切り欠いたときに生じる微少な突起やエッジによって電位が高まるところがなくなり、放電を発生させることなく、切欠き部とモリブデン箔とを近づけることができる。
【発明を実施するための最良の形態】
【００２０】
以下に本発明の実施例を添付図面に従って説明する。図９および図１０において、参照符号２は本実施例の照明装置にかかる本体ケーシングを示し、この本体ケーシング２は反射板３にヒンジ４を介して開閉可能に連結されている。１００は開閉用のハンドルである。本体ケーシング２内には、図１および図２に示すように、両口タイプのメタルハライドランプ（以下、単にランプという）１が収納されている。本体ケーシング２のランプ１後方側の壁面には高電圧始動パルスを発生する始動器５が納められた収納箱６が取り付けられている。また、本体ケーシング２の中央にはランプ１の外周を包囲するように補助反射板７が設けられ、この反射板７のランプ１の両端側には、ランプ１端部が反射板７内より延出できるように切欠き部８が形成されている。切欠き部８は、図３ａ，１３ｂに示すように、Ｕ字状に切り欠かれた後に、９０度外方向にフランジ状に曲げられて形成される。切欠き部８のフランジ９はランプ１の端部に位置する円柱状の充電部１０の長手方向に平行に曲げられる。この充電部１０には従来通りモリブデン箔１０１が封止され、高電圧始動パルスが印加されると、モリブデン箔１０１と切欠き部８との間で放電が起こり、ランプ再点灯を阻害するのが一般的である。
【００２１】
しかし、この実施例によれば、図３ａ，３ｂに示すように、充電部１０に平行な平滑面のフランジ９がモリブデン箔１０１に対向しているので、従来のように切欠き部８を単に切りぱっなしにした場合と比べると、そこには放電を起こしやすい微少な突起やエッジが位置しないので、モリブデン箔１０１と切欠き部８との間の絶縁性を十分に確保することができる。したがって、モリブデン箔１０１と切欠き部８との距離を、１５mm以下に短縮することができ、光漏れによる器具の温度上昇や配光性能の低下等を防止することができる。
【００２２】
また、モリブデン箔１０１と切欠き部８との間には、Ｕ字断面の樋状の絶縁体１１が介装されている。絶縁体１１は、ランプ１および充電部１０を固定するランプ固定部１２より一体的に延出されている。ランプ固定部１２および絶縁体１１は、ステアタイト磁器からなる。モリブデン箔１０１と切欠き部８との間には、絶縁体１１が介装されているので、絶縁性の向上が図れ、無用な放電が防止されると共に、切欠き部８を更に小さくすることができ、切欠き部８からの光漏れや配光性能の低下等を更に防止することができる。
【００２３】
高電圧始動パルスを始動器５からランプ１側へと導くランプ電線１３は、図４に示すように、導体１３ａの外周にシリコン樹脂層１３ｂを被覆した上に、更にその外側にフッ素樹脂層１３ｃを被覆した二層被覆構造となっている。シリコン樹脂層１３ｂの可撓性により照明器具内での配線は容易になり、且つコンパクトに配線でき、しかも硬いフッ素樹脂層１３ｃでシリコン樹脂層１３ｂの表面を覆うことで、その表面傷による絶縁劣化を防止できる。また、全く異なる絶縁材料の二層構造なので、絶縁劣化を２段階で防止でき従来のものに比べて信頼性が向上する。
【００２４】
図１に示すように、ランプ１のリード線１４は、ランプ１側からの熱の影響を避けるべく、ランプ１の両最側端に位置し、電線受部１５でランプ電線１３に接続されている。電線受部１５は、図５に示すように、シリコン樹脂またはフッ素樹脂で成形したキャップ状の成形体１６で覆われている。ランプ電線１３は電線受部１５より本体ケーシング２の背面側に引き出されて配線されるが、このランプ電線１３の外周は、図１または図６に示すように、フッ素樹脂からなる２分割の成形体１７ａ、１７ｂにより覆われる。即ち、第１の成形体１７ａは断面がコ字状をなしており、本体ケーシング２の底面に設けられ、この底面側からランプ電線１３の外周を覆い、第２の成形体１７ｂは、図６に示すように、第１の成形体１７ａに被せられ、この第１の成形体１７ａの開口側からランプ電線１３の外周を覆うようになっている。これによれば、電線受部１５およびランプ電線１３が絶縁性の成形体１６、１７ａ，１７ｂで覆い囲まれた構造となるので、電線受部１５およびランプ電線１３と本体ケーシング２との間の絶縁距離Ａを短縮でき、照明器具の小型化、コスト低減が図られる。
【００２５】
図１または図７に示すように、始動器５は、雨水など外部からの障害を防ぐために、板金製の密閉構造の収納箱６内に収納されている（なお、収納箱を絶縁体の成型品としてもよい。）。
【００２６】
この収納箱６は、図８に示すように、本体ケーシング２からの熱を避けるために、一対の金具２４を用いて、本体ケーシング２の後方に少し浮かせた状態で取り付けられ、この本体ケーシング２と収納箱６との間には、図７に示すように、ランプ電線１３を通す貫通孔を有する、フッ素樹脂からなる筒体１９が設けられる。この筒体１９の両端にはネジが形成され、本体ケーシング２および収納箱６にネジ止めされると共に、Ｏリング２０により防水が図られる。始動器５は、本体ケーシング２からの熱を避け且つ万一の湿気・埃等からの安全性を考慮して収納箱６の底面より金具１８で少し浮かせた位置に固定される。
【００２７】
更に、ランプ電線１３は、上述のように、本体ケーシング２から筒体１９内を通って収納箱６内の始動器５の出力端２１に接続される。始動器５の出力端２１と収納箱６との近接した部位には放電を生じるおそれがあるので、収納箱６の蓋体２２には放電防止用の絶縁性の遮蔽板２３が一体的に形成される。このように、始動器５を収納する収納箱６をランプ電線１３を挿通させる絶縁性の筒体１９によって本体ケーシング２の後方側に一体的に取り付けるようにしたので、始動器５と本体ケーシング２との間の距離を短縮でき、照明器具の小型化ができる。また、収納箱６が本体ケーシング２の後方に一体的に取り付いているので、照明器具を設置する場合などにおいてあまり邪魔にならない。
【００２８】
以上、一実施例を参照して本発明を説明したが、本発明は、これに限定されるものではない。例えば上記実施例では、両口タイプのメタルハライドランプ１を用いた照明器具について述べたが、その他のタイプのＨＩＤ光源を用いる照明器具に対しても同様に適用可能である。また、ランプ電線１３、成形体１６、１７、筒体１９などにはフッ素樹脂を用いているが、具体的にはテフロンＰＴＦＥまたはテフロンＰＦＡ（テフロンは登録商標）が使用されている。
【００２９】
以上の説明から明らかなように、本実施形態では、ランプを包囲する反射板にランプ端部が延出する切欠き部を設け、この切欠き部にフランジを設け平滑な面状に形成したので、単に反射板を切り欠いたときに生じる微少な突起やエッジによって電位が高まるところがなくなり、放電を発生させることなく、モリブデン箔と切欠き部とを近づけることができる。
【００３０】
従って、モリブデン箔と切欠き部間からの光漏れが少なく、照明器具の温度上昇や配光性能の低下を防止できる。
【００３１】
また本実施形態では、上記において、モリブデン箔と切欠き部間に絶縁部材を介装すれば、より絶縁性が向上し、また、モリブデン箔と切欠き部間からの光漏れをより低減することができる。
【００３２】
また本実施形態では、高電圧始動パルスを始動器よりランプ側に導くランプ電線が、導体の周囲をシリコン樹脂で被覆し、更にその外周をフッ素樹脂で被覆した二層の被覆構造となっているので、内側のシリコン樹脂層で可撓性を保持しつつ、外側のフッ素樹脂層で表面傷を軽減して絶縁劣化を防止できる。そして、可撓性がよいランプ電線なので、照明器具内の配線を容易に、しかもコンパクトに行うことができる。また、異なる二種類の絶縁層で絶縁劣化を２段階で防止でき信頼性が高い。
【００３３】
また本実施形態では、ランプを収納する本体ケーシング内における高電圧始動パルスを導くランプ電線の外周およびランプ電線とランプのリード線との電線受部の外周が絶縁性の成形体で覆われているので、本体ケーシングとの間の絶縁性を向上できると共に、本体ケーシングと電線受部およびランプ電線との間の絶縁距離を短縮でき、照明器具の小型化、コスト低減が図れる。
【図面の簡単な説明】
【００３４】
【図１】本発明の照明器具の一実施例を示す側断面図である。
【図２】図１の本体ケーシングの正面図である。
【図３】ａは図１の反射板の切欠き部を示す斜視図であり、ｂはその正面図である。
【図４】図１で用いられているランプ電線を一部破断して示す斜視図である。
【図５】図１の電線受部の斜視図である。
【図６】図１のランプ電線を覆う成形体の斜視図である。
【図７】図１の始動器の収納箱を拡大して示す断面図である。
【図８】図１の収納箱を本体ケーシングの後方側からみた斜視図である。
【図９】本発明の照明器具の全体構造を示す側面図である。
【図１０】本発明の照明器具の全体構造を示す背面図である。
【図１１】従来の瞬時再点灯を行わない照明器具の平面図である。
【図１２】ａは図１１の反射板の切欠き部を示す斜視図であり、ｂはその正面図である。
【図１３】従来の対策例を示す図であり、ａは反射板の切欠き部を示す斜視図であり、ｂはその正面図である。
【図１４】図１１の電線受部の斜視図である。
【図１５】図１１の電線受部の正面図である。
【図１６】図１１の電線受部の側面図である。
【図１７】図１１のランプ電線のみを取り出して示す斜視図である。
【図１８】図１１のランプ電線のみを取り出して示す正面図である。
【図１９】図１１のランプ電線のみを取り出して示す側面図である。
【図２０】図１１の照明器具に取り付けられる始動器を示す斜視図である。
【符号の説明】
【００３５】
１  ランプ
２  本体ケーシング
５  始動器
６  収納箱
７  反射板
８  切欠き部
１０  充電部
１１  絶縁体
１３  ランプ電線
１３ａ  導体
１３ｂ  シリコン樹脂層
１３ｃ  フッ素樹脂層
１４  リード線
１５  電線受部
１６  成形体
１７  成形体
１９  筒体
【図１】
2006261137.tif 000003
【図２】
2006261137.tif 000004
【図３】
2006261137.tif 000005
【図４】
2006261137.tif 000006
【図５】
2006261137.tif 000007
【図６】
2006261137.tif 000008
【図７】
2006261137.tif 000009
【図８】
2006261137.tif 000010
【図９】
2006261137.tif 000011
【図１０】
2006261137.tif 000012
【図１１】
2006261137.tif 000013
【図１２】
2006261137.tif 000014
【図１３】
2006261137.tif 000015
【図１４】
2006261137.tif 000016
【図１５】
2006261137.tif 000017
【図１６】
2006261137.tif 000018
【図１７】
2006261137.tif 000019
【図１８】
2006261137.tif 000020
【図１９】
2006261137.tif 000021
【図２０】
2006261137.tif 000022